(57)【要約】【課題】敷設施工時には出隅部材を容易に敷設することができると共に、補修等のために取り外す必要が生じた場合には出隅部材と隣接する壁材を取り外すことなく出隅部材のみを取り外し、且つ新たな出隅部材を容易に敷設することができる建物の出隅構造を提供する。【解決手段】二つの側片１１がその側端縁同士で接合された形状を有する断面Ｌ字状の出隅部材１を建物の下地材４の出隅部分に沿って敷設する。この出隅部材１に隣接して壁材３を建物の下地材４に沿って敷設する。出隅部材１の側片１１の裏面側には留め金具２が取り付けられている。留め金具２の延出部２１は側片１１の外側端部から外側方に突出している。延出部２１は建物の下地材４に固着具５にて固着されている。壁材３は側片１１の外側端部から間隔をあけて下地材４に敷設されている。延出部２１は下地材４と壁材３との間に介在することなく前記側片１１と壁材３との間の隙間に配置されている。【選択図】図１
2006124951.tif 000002
【特許請求の範囲】
【請求項１】
二つの側片がその側端縁同士で接合された形状を有する断面Ｌ字状の出隅部材を建物の下地材の出隅部分に沿って敷設すると共にこの出隅部材に隣接して壁材を建物の下地材に沿って敷設した建物の出隅構造において、前記出隅部材の側片の裏面側には留め金具が取り付けられていると共にこの留め金具の延出部が前記側片の外側端部から外側方に突出し、前記延出部が建物の下地材に固着具にて固着され、前記壁材は前記側片の外側端部から間隔をあけて下地材に敷設されていると共に延出部は下地材と壁材との間に介在することなく前記側片と壁材との間の隙間に配置されていることを特徴とする建物の出隅構造。
【請求項２】
上記留め金具には、その一端側に入隅側取着部が設けられ、前記入隅側取着部から他端側に係合片を有する端部取着部が設けられ、前記端部取着部から他端側に延出部が設けられ、且つ上記出隅部材にはその側片の裏面における外側端部よりも入隅部側に前記留め金具の入隅側取着部が係合される入隅側被取着部が設けられると共に前記側片の外側端面には前記端部取着部の係合片が挿入係合される係合溝が設けられていることを特徴とする請求項１に記載の建物の出隅構造。
【請求項３】
上記留め金具には、その一端部に入隅側取着部が設けられ、前記入隅側取着部から他端側に弾接片を有する端部取着部が設けられ、前記端部取着部から他端側に延出部が設けられ、且つ上記出隅部材にはその側片の裏面における外側端部よりも入隅部側に前記留め金具の入隅側取着部が係合される入隅側被取着部が設けられ、前記側片の外側端面には前記端部取着部の弾接片が弾接するものであることを特徴とする請求項１に記載の建物の出隅構造。
【発明の詳細な説明】
【技術分野】
【０００１】
本発明は、建物の出隅構造に関するものである。
【背景技術】
【０００２】
従来、建物の外装材を敷設するにあたっては、建物の下地材４に平板状の壁材３を敷設すると共に、その出隅部分に前記壁材３と同質材料で形成された出隅部材１を敷設している。
【０００３】
従来における建物の出隅構造の一例を図３に示す。この例では、出隅部材１を二つの側片１１がその側端縁同士で略直角状に接合した形状を有する断面Ｌ字状に形成されており、この出隅部材１の側片１１の一方又は双方に留め金具２を取り付けた状態で建物の下地材４の出隅部分に沿って出隅部材１を配置し、この状態で留め金具２を釘等の固着具５にて下地材４に固着することにより、出隅部材１を敷設していた。そして、この出隅部材１に隣接するように平板状の壁材３を敷設するようにしていた。
【０００４】
この図示の従来の留め金具２では、図３（ｂ）に示すように平板状に形成されており、その一端部が鋭角に折り返した形状に形成されて爪状の入隅側取着部２２が設けられると共にこの入隅側取着部２２から他端側において端部取着部２３が立設されている。端部取着部２３の先端部には留め金具２の一端側に向けて係合部２７が延出されている。また留め金具２は端部取着部２３よりも更に他端側に向けて延出された延出部２１を有し、この延出部２１の他端部には釘等の固着具５が挿通される固着孔２６が形成されている。
【０００５】
一方、出隅部材１には、各側片１１の裏面の入り隅部付近に、上記入隅側取着部２２と合致する形状の入隅側被取着部１２が設けられており、また各側片１１の外側端面には裏面側部分が突出して上記端部取着部２３と合致する形状の端部被取着部１４が設けられている。留め金具２は入隅側取着部２２を入隅側被取着部１２に係合させると共に、端部取着部２３を端部被取着部１４に係合させることで出隅部材１に取り付けられる。このとき側片１１の外側端部からは留め金具２の延出部２１が突出するようになる。
【０００６】
この状態で出隅部材１を建物の出隅部分に沿って配置し、所望の位置において留め金具２における延出部２１の固着孔２６を介して釘等の固着具５を建物の下地材４に打入するなどして固着し、更に必要に応じて出隅部材１の上部や下部などを固定するなどして、出隅部材１が敷設される。
【０００７】
次いで、壁材３を出隅部材１の各側片１１の外側方に若干の間隔をあけるようにして下地材４に敷設するものであり、このとき壁材３の出隅部材１側の端部は留め金具２の延出部２１上に配置されることになる。
【０００８】
そして、出隅部材１の側片１１とこれに隣接する壁材３との間の隙間には、必要に応じてコーキング材６を充填するなどしてコーキング処理が施される。
【０００９】
同様の建物の出隅構造は、特許文献１，２等にも開示されている。
【特許文献１】特開２００１−２７１４７７号公報
【特許文献２】特開平８−１４４４６９号公報
【発明の開示】
【発明が解決しようとする課題】
【００１０】
建物の外装材を敷設した後、経年劣化等により外装材が破損等した場合には、この外装材を取り外して新たな外装材を敷設する補修作業を行う必要がある。
【００１１】
しかし、上記のような従来における建物の出隅部分の敷設構造においては、出隅部材１が破損等して取り替える必要が生じた場合には、留め金具２の延出部２１が隣接する壁材３と下地材４との間に挟まれた状態となっているために、たとえ壁材３を交換する必要がなくても、まずこの壁材３を取り外して留め金具２の延出部２１を露出させ、この状態で固着具５を取り外す必要があった。このように従来は出隅部材１のみを交換する場合にもこれと隣接する壁材３を取り外さなければならず、作業効率が著しく悪いものであった。
【００１２】
本発明は上記の点に鑑みてなされたものであり、敷設施工時には出隅部材を容易に敷設することができると共に、出隅部材を補修等のために取り外す必要が生じた場合には出隅部材と隣接する壁材を取り外すことなく出隅部材のみを取り外すと共に新たな出隅部材を容易に敷設することができる建物の出隅構造を提供することを目的とするものである。
【課題を解決するための手段】
【００１３】
本発明に係る建物の出隅構造は、二つの側片１１がその側端縁同士で接合された形状を有する断面Ｌ字状の出隅部材１を建物の下地材４の出隅部分に沿って敷設すると共にこの出隅部材１に隣接して壁材３を建物の下地材４に沿って敷設した建物の出隅構造において、前記出隅部材１の側片１１の裏面側には留め金具２が取り付けられていると共にこの留め金具２の延出部２１が前記側片１１の外側端部から外側方に突出し、前記延出部２１が建物の下地材４に固着具５にて固着され、前記壁材３は前記側片１１の外側端部から間隔をあけて下地材４に敷設されていると共に延出部２１は下地材４と壁材３との間に介在することなく前記側片１１と壁材３との間の隙間に配置されていることを特徴とするものである。
【００１４】
これにより、出隅部材１を敷設する際には、留め金具２を出隅部材１に取着した状態で留め金具２を建物の下地材４に固着具５にて固定することにより、出隅部材１を建物の下地材４の出隅部に敷設することができ、敷設時の作業性が良好なものであり、また、敷設された後の出隅部材１が破損した場合などには、出隅部材１の側片１１と壁材３との間の隙間に露出する固着具５を脱離するだけで留め金具２を下地材４から脱離させることができ、隣接する壁材３を取り外すことなく出隅部材１のみを取り外して、新たな出隅部材１と交換することができるものである。
【００１５】
上記建物の出隅構造においては、上記留め金具２には、その一端側に入隅側取着部２２が設けられ、前記入隅側取着部２２から他端側に係合片２４を有する端部取着部２３が設けられ、前記端部取着部２３から他端側に延出部２１が設けられ、且つ上記出隅部材１にはその側片１１の裏面における外側端部よりも入隅部側に前記留め金具２の入隅側取着部２２が係合される入隅側被取着部１２が設けられると共に前記側片１１の外側端面には前記端部取着部２３の係合片２４が挿入係合される係合溝１３が設けられているようにすることが好ましい。
【００１６】
このようにすると、留め金具２の入隅側取着部２２を出隅部材１の入隅側被取着部１２に係合させると共に留め金具２の端部取着部２３の係合片２４を出隅部材１の係合溝１３と係合させることで留め金具２を出隅部材１に容易かつ安定に取り付けることができ、出隅部材１の敷設作業や補修時の交換作業において留め金具２を支えずに出隅部材１を支えて作業することができて、作業性が良好なものである。
【００１７】
また、上記留め金具２には、その一端側に入隅側取着部２２が設けられ、前記入隅側取着部２２から他端側に弾接片２５を有する端部取着部２３が設けられ、前記端部取着部２３から他端側に延出部２１が設けられ、且つ上記出隅部材１にはその側片１１の裏面における外側端部よりも入隅部側に前記留め金具２の入隅側取着部２２が係合される入隅側被取着部１２が設けられると共に前記側片１１の外側端面には前記端部取着部２３の弾接片２５が弾接するものであることも好ましい。
【００１８】
このようにすると、留め金具２の入隅側取着部２２を出隅部材１の入隅側被取着部１２に係合させると共に留め金具２の端部取着部２３の弾接片２５を出隅部材１の外側端面に弾接させることで留め金具２を出隅部材１に容易かつ安定に取り付けることができ、出隅部材１の敷設作業や補修時の交換作業において留め金具２を支えずに出隅部材１を支えて作業することができて、作業性が良好なものである。また、留め金具２を出隅部材１に取り付ける際には留め金具２の入隅側取着部２２を出隅部材１の入隅側被取着部１２に係合させた後に、留め金具２の端部取着部２３の弾接片２５を出隅部材１の外側端面に弾接させるだけでよく、留め金具２を大きく撓ませることなく容易に取着することができるものである。
【発明の効果】
【００１９】
本発明によれば、施工時には留め金具を出隅部材に取着した状態で出隅部材を容易に敷設することができ、且つ出隅部材を補修等のために取り外す必要が生じた場合には出隅部材と隣接する壁材を取り外すことなく、出隅部材の延出部を固着している固着具を取り外すだけで出隅部材のみを取り外すことができ、敷設時や補修時における作業性が非常に良好なものとなるものである。
【発明を実施するための最良の形態】
【００２０】
以下、本発明をその実施をするための最良の形態に基づいて説明する。
【００２１】
図１は本発明の実施形態の一例である。留め金具２は適度な弾性を有する金属製板材等で形成することができる。図１（ｂ）に示す留め金具２は開口を有する枠状に形成されることで十分な弾性変形が可能となっている。
【００２２】
留め金具２には、出隅部材１に取り付けられるための取着部が設けられており、図１に示す例では留め金具２には端部取着部２３が設けられ、この端部取着部２３よりも留め金具２の一端側には入隅側取着部２２が設けられている。また端部取着部２３よりも留め金具２の他端側には延出部２１が延出されている。
【００２３】
上記入隅側取着部２２は、留め金具２の一端部を鋭角状に折り返した形状を有しており、図示の例では留め金具２の幅方向に並んでその両側端部にそれぞれ設けられている。一方、端部取着部２３は留め金具２の他端部を鉛直状に折り返した形状を有するように留め金具２から立設されており、図示の例では留め金具２の幅方向に並んでその両側端部にそれぞれ設けられている。この端部取着部２３の先端からは留め金具２の一端側に向けて係合片２４が延出さている。また延出部２１は、図示の例では二つの端部取着部２３の間において留め金具２の他端側へ向けて延出されており、この延出部２１には固着孔２６が穿設されている。端部取着部２３の形成位置からの延出部２１の延出長さは、外装材敷設時の出隅部材１の側片１１の外側端面と、これに隣接する壁材３との間の隙間の幅と同一或いはこれより小さくなるように形成される。
【００２４】
一方、出隅部材１は、図１（ａ）に示すように二つの側片１１がその側端縁同士で接合された形状を有する上下に長い断面Ｌ字状に形成されている。この出隅部材１は同時に使用される壁材３と同質材料にて形成されていることが好ましい。
【００２５】
この出隅部材１の側片１１には、その外側端部に、上記留め金具２の端部取着部２３が取着される被取着部が設けられるものであり、図示の例では側片１１の外側端面にスリット溝状の係合溝１３が、端部取着部２３の係合片２４に合致するように設けられている。また側片１１の裏面には、側片１１の外側端部よりも入隅側、図示の例では入隅部付近に、上記留め金具２の入隅側取着部２２が取着される入隅側被取着部１２が設けられるものであり、図示の例では上記留め金具２の入隅側取着部２２と合致して入隅側取着部２２が係合される凹状の入隅側被取着部１２が形成されている。
【００２６】
出隅部材１には、建物の下地材４に敷設される前に、予め留め金具２が取着される。このとき、まず出隅部材１の凹状の入隅側被取着部１２に留め金具２の入隅側取着部２２を係合させ、この状態で留め金具２を弾性変形させて撓ませながら留め金具２の端部取着部２３の係合片２４を側片１１の端面の溝状の入隅側被取着部１２に挿入するようにして係合させる。これにより端部取着部２３は出隅部材１に安定して取着され、容易には脱離されないようになる。また、出隅部材１に留め金具２が取着された状態では、延出部２１が側片１１の外側端部から外側方へ延出するように配置される。
【００２７】
留め金具２は出隅部材１の一方の側片１１にのみ取着しても良いが、通常は両方の側片１１にそれぞれ取着することが好ましい。例えば出隅部材１の上下方向に沿って、一方の側片１１と他方の側片１１に交互に複数の留め金具２を取り付けることができる。
【００２８】
このように留め金具２を出隅部材１に取着した状態で、出隅部材１を建物の下地材４の出隅部分に沿って配置し、この状態で延出部２１における固着孔２６を介して釘等の固着具５を下地材４へ打入するなどして、延出部２１、ひいては留め金具２を固着具５にて下地材４に固定する。これにより、出隅部材１が建物の下地材４の出隅部分に配設される。そして、必要に応じて、出隅部材１の上端や下端などを適宜の受け金具等を介して釘等の固着具を用いるなどして固定し、出隅部材１が敷設されるものである。
【００２９】
次に、出隅部材１に隣接する壁材３を敷設する。このとき出隅部材１の側片１１の端面と、これと隣接する壁材３との間の隙間が、側片１１から外側方へ突出する留め金具２の延出部２１の突出寸法と同一か、それよりも大きくなるように敷設するものである。
【００３０】
このようにして出隅部材１と壁材３を敷設すると、出隅部材１と壁材３とが敷設された状態において、留め金具２の延出部２１は出隅部材１の側片１１と壁材３との間の隙間に配置されて露出され、壁材３の下方には介在しなくなり、また出隅部材１と壁材３とが敷設された状態で留め金具２を固定している固着具５がこの隙間に露出することとなる。
【００３１】
また、必要に応じ、上記のように出隅部材１の側片１１と壁材３との間の隙間に延出部２１及び固着具５が露出した状態で、出隅部材１の側片１１と壁材３との間の隙間にコーキング材６を充填してコーキング処理を施すことが好ましい。
【００３２】
このような建物の出隅構造においては、出隅部材１を敷設する際に、留め金具２を出隅部材１に安定して取着した状態で留め金具２を建物の下地材４に固着具５にて固定することにより、出隅部材１を建物の下地材４の出隅部に敷設することができ、このとき留め金具２を支えることなく出隅部材１を支えた状態で敷設作業を行うことができるものであるから、敷設時の作業性が良好なものである。
【００３３】
また、敷設された後の出隅部材１が経年劣化や何らかの衝撃を受ける等により破損した場合には、出隅部材１の側片１１と壁材３との間の隙間に露出する固着具５を引き抜くなどして脱離するだけで留め金具２を下地材４から脱離させることができ、このため隣接する壁材３を取り外すことなく留め金具２を脱離させて出隅部材１のみを取り外し、新たな出隅部材１と交換することができるものである。また、出隅部材１の側片１１と壁材３との間の隙間にコーキング材６を充填している場合にも、コーキング材６を除去すれば出隅部材１の側片１１と壁材３との間の隙間に固着具５を容易に露出させることができ、この固着具５を脱離すれば、隣接する壁材３を取り外すことなく出隅部材１を取り外すことができるものである。
【００３４】
出隅部材１を交換する際には、新たな出隅部材１及び留め金具２として、上記の出隅部材１及び留め金具２と同様の構成を有するものを設けることができる。この場合、上記と同様に出隅部材１に留め金具２を取着した状態で、以前の出隅部材１が敷設されていた建物の下地材４の出隅部に沿って新たな出隅部材１を配置すると共に、留め金具２の延出部２１を出隅部材１の側片１１の外側端面と、これに隣接する壁材３との間の隙間に配置し、この状態で延出部２１における固着孔２６を介して釘等の固着具５を下地材４へ打入するなどして、延出部２１を固着具５にて下地材４に固定する。これにより、出隅部材１が建物の下地材４の出隅部分に配設される。そして、必要に応じて、出隅部材１の上端や下端などを適宜の受け金具等を介して釘等の固着具を用いるなどして固定し、出隅部材１が敷設されるものである。このため、新たな出隅部材１を敷設する際にも、出隅部材１と隣接する壁材３を取り外すことなく、容易に敷設作業を行うことができるものである。
【００３５】
尚、出隅部材１と壁材３とを敷設する場合には、出隅部材１に隣接する壁材３を敷設してから出隅部材１を敷設するようにしても良い。この場合、まず壁材３を敷設した後に、上記の補修時における新たな出隅部材１を敷設する場合と同様の手法により、出隅部材１を敷設することができる。このようにしても、作業の順序が異なるだけで、容易に出隅部材１の敷設を行うことができ、また補修時には出隅部材１を容易に交換することができる。
【００３６】
図２に本発明の実施の形態の他例を示す。
【００３７】
本実施形態における留め金具２では、上記の図１に示す留め金具２の構成において、図２（ｂ）に示すように、留め金具２において立設されている端部取着部２３の先端に、上記の端部係合片２４に代えて、留め金具２の一端側へ鋭角に折り返された形状を有する弾性変形可能な弾接片２５が設けられている。この弾接片２５は例えば留め金具２を弾性を有する金属板で形成するなどにより弾性が付与される。
【００３８】
一方、出隅部材１には、図１に示す出隅部材１の構成において、側片１１の外側端部ににおける被取着部では、図１に示すような係合溝１３を設けずに、図２（ａ）に示すように側片１１の外側端面を平面状に形成している。
【００３９】
そして、出隅部材１に留め金具２を取着するにあたっては、まず出隅部材１の入隅側被取着部１２に留め金具２の入隅側取着部２２を係合させ、この状態で留め金具２の端部取着部２３の弾接片２５を側片１１の外側端面に弾接させる。これにより端部取着部２３は出隅部材１に安定して取着され、容易には脱離されないようになる。また、出隅部材１に留め金具２を取着するにあたって留め金具２を大きく撓ませるような必要がなく、出隅部材１に留め金具２を非常に容易に取着することができるものである。
【００４０】
このようにして出隅部材１に留め金具２を取着した後は、上記の図１に示す場合と同様の工程により出隅部材１及び壁材３を容易に敷設することができ、また補修時にも図１に示す場合と同様に出隅部材１を容易に交換することができるものである。
【図面の簡単な説明】
【００４１】
【図１】本発明の実施の形態の一例を示すものであり、（ａ）は平断面図、（ｂ）は（ａ）における留め金具の構成を示す斜視図である。
【図２】本発明の実施の形態の他例を示すものであり、（ａ）は平断面図、（ｂ）は（ａ）における留め金具の構成を示す斜視図である。
【図３】従来技術の一例を示すものであり、（ａ）は平断面図、（ｂ）は（ａ）における留め金具の構成を示す斜視図である。
【符号の説明】
【００４２】
１  出隅部材
１１  側片
１２  入隅側被取着部
２  留め金具
２１  延出部
２２  入隅側取着部
２３  端部取着部
２４  係合片
２５  弾接片
３  壁材
４  下地材
５  固着具
【図１】
2006124951.tif 000003
【図２】
2006124951.tif 000004
【図３】
2006124951.tif 000005